(57)【要約】【課題】  重ね合わせた状態であっても相互に分離が容易となる固定具を提供する。【解決手段】  固定具１３は直方体形状の磁石２０と、磁石２０を囲うように保持する断面コの字状のヨーク１５と、ヨーク１５の第１側壁部１７の一部に一体的に接続され、その折り返し部２５がヨーク１５の平坦部１６の上方に伸びる折り曲げ片２２とから構成されている。折り曲げ片２２の折り返し部２５の先端側にはその幅方向にわたって上方に突き出る突起部２８が形成されている。このように構成することにより固定具１３の上方に同一形状の固定具を設置した時、その磁石の下面は突起部２８の上端に接した状態となるため、ヨークの吸着効果が薄れこれらを相互に分離することが容易となる。【選択図】      図１
2006165210.tif 000002
【特許請求の範囲】
【請求項１】
被取付体に取り付けられ、前記被取付体を磁力によって磁性体に固定するための固定具であって、
磁石と、
前記磁石を囲うように保持し、平坦部と前記平坦部の端縁に接続される側壁部とからなる断面コの字状のヨークと、
前記ヨークの一部に接続され、前記被取付体の一部に係合した状態で、前記ヨークの前記平坦部の外面上に伸びるように配置される折り返し部を有し、前記折り返し部の一部であって、前記平坦部に平面視で重なり合う部分に前記ヨークとは反対方向に突出する突起部が形成された折り曲げ片とを備えた、固定具。
【請求項２】
前記磁石は直方体形状を有し、
前記突起部は前記折り返し部の幅方向にわたって形成される、請求項１記載の固定具。
【請求項３】
前記突起部は前記折り返し部の中央部に形成される、請求項１記載の固定具。
【請求項４】
被取付体に取り付けられ、前記被取付体を磁力によって磁性体に固定するための固定具であって、
磁石と、
前記磁石を囲うように保持し、平坦部と前記平坦部の端縁に接続される側壁部とからなる断面コの字状のヨークと、
前記ヨークの一部に接続され、前記取付体の一部に係合した状態で、前記ヨークの前記平坦部の外面上に伸びるように配置される折り返し部を有し、前記折り返し部の先端には前記ヨークから離れる方向に傾斜する傾斜部が形成された、折り曲げ片とを備えた、固定具。
【請求項５】
被取付体に取り付けられ、前記被取付体を磁力によって磁性体に固定するための固定具であって、
磁石と、前記磁石を囲うように保持し、平坦部と前記平坦部の端縁に接続される側壁部とからなる断面コの字状のヨークと、
前記ヨークの一部に接続され、前記被取付体の一部に係合した状態で、前記ヨークの前記平坦部の外面上に伸びるように配置される折り返し部を有する折り曲げ片とを備え、
前記平坦部には、前記折り返し部の上面のレベルより外方に突出した突起部が形成される、固定具。
【発明の詳細な説明】
【技術分野】
【０００１】
この発明は固定具に関し、特にレンジフード用フィルタカバー等に係合され、これを磁力によって取り付けるための固定具に関するものである。
【背景技術】
【０００２】
図６は従来のレンジフード用フィルタカバーの概略構造を示す斜視図である。
【０００３】
図を参照して、レンジフード用フィルタカバー７０は第１の分割体７１と第２の分割体７２とから構成され、各々アルミニウム箔のシートを成形加工することによって形成されている。その各々の中央には不織布等からなるフィルタ７３，フィルタ７４が取り付けられている。又、第１の分割体７１の外周には縁巻７５ａ〜縁巻７５ｃが形成され、第２の分割体７２の外周には縁巻７６ａ〜縁巻７６ｃが形成されている。
【０００４】
第１の分割体７１の縁巻７５ｂには固定具７７が、第２の分割体７２の縁巻７６ｂには固定具７８が各々取り付けられている。
【０００５】
図７は図６で示した“Ｘ”部分の拡大斜視図である。
【０００６】
図を参照して、固定具７８は断面がコの字状のヨーク８０と、ヨーク８０の内部に取り付けられた磁石８１と、ヨーク８０に一体的に接続された折り曲げ部８２とから構成される。尚、折り曲げ部８２は、固定具７８を第２の分割体７２に取り付ける前には曲げられておらず、又、折り曲げ位置に対応した部分に開口８４が形成されている。
【０００７】
固定具７８を第２の分割体７２に取り付ける際には、折り曲げ部８２を第２の分割体７２の縁巻７６ｂの近傍に形成される開口８３に通し、開口８４の部分でヨーク８０の背面の方向に折り曲げる。このようにして固定具７８は第２の分割体７２の縁巻７６ｂの周りに回動自在に取り付けられる。一方、固定具７７も同様の構造をしており、同様にレンジフード用フィルタカバー７０の縁巻７５ｂに回動自在に取り付けられている。
【０００８】
使用時にあっては、縁巻７５ａと縁巻７６ａとを取り付け対象に合わせて適切な長さにその長さを調整し、磁性体の被取付体に固定具７７及び固定具７８を吸着させることによってレンジフード用フィルタカバー７０を固定していた。
【発明の開示】
【発明が解決しようとする課題】
【０００９】
上記のような従来の固定具では使用時には特に問題はないが、レンジフード用フィルタカバーに取り付けた状態での保管や包装時に問題を生じていた。
【００１０】
図８はこのような問題を示すための概略側面図であって、図７で示したＶＩＩＩ−ＶＩＩＩラインから見た図に対応した図である。
【００１１】
図を参照して、通常保管時や包装時には同一形状の固定具７８ａ，固定具７８ｂが上下に重ね合わされた状態となる。この場合固定具７８ａの上側に位置する固定具７８ｂが磁石８１ｂの磁力によって強力に固定具７８ａの背面に吸着することになる。即ち、固定具７８ｂのヨーク８０ｂを構成する第１側壁部８６及び第２側壁部８７の各々の先端が固定具７８ａを構成する折り曲げ部８２ａの上面及びヨーク８０ａの上面に接することになる。このため固定具７８ｂは第２の分割体７２ｂの取り付け時と同様の状態となり、強固に固定具７８ａに吸着されることになる。
【００１２】
そのため、使用時に第２の分割体７２ａと第２の分割体７２ｂとを分離させることが容易ではなくなり、取り扱い時に支障となっていた。
【００１３】
この発明は上記のような課題を解決するためになされたもので、重ね合わせた状態であっても相互に分離が容易となる固定具を提供することを目的とする。
【課題を解決するための手段】
【００１４】
上記の目的を達成するために、請求項１記載の発明は、被取付体に取り付けられ、被取付体を磁力によって磁性体に固定するための固定具であって、磁石と、磁石を囲うように保持し、平坦部と平坦部の端縁に接続される側壁部とからなる断面コの字状のヨークと、ヨークの一部に接続され、被取付体の一部に係合した状態で、ヨークの平坦部の外面上に伸びるように配置される折り返し部を有し、折り返し部の一部であって、平坦部に平面視で重なり合う部分にヨークとは反対方向に突出する突起部が形成された折り曲げ片とを備えたものである。
【００１５】
このように構成すると、同一形状の固定具を同一方向に向けて重ね合わせた時、上方の固定具の磁石の下面に突起部が接する。
【００１６】
請求項２記載の発明は、請求項１記載の発明の構成において、磁石は直方体形状を有し、突起部は折り返し部の幅方向にわたって形成されるものである。
【００１７】
このように構成すると、磁石と突起部との接する部分は線状となる。
【００１８】
請求項３記載の発明は、請求項１記載の発明の構成において、突起部は折り返し部の中央部に形成されるものである。
【００１９】
このように構成すると、折り返し部の曲げ強度が向上する。
【００２０】
請求項４記載の発明は、被取付体に取り付けられ、被取付体を磁力によって磁性体に固定するための固定具であって、磁石と、磁石を囲うように保持し、平坦部と平坦部の端縁に接続される側壁部とからなる断面コの字状のヨークと、ヨークの一部に接続され、被取付体の一部に係合した状態で、ヨークの平坦部の外面上に伸びるように配置される折り返し部を有し、折り返し部の先端にはヨークから離れる方向に傾斜する傾斜部が形成された折り曲げ片とを備えたものである。
【００２１】
このように構成すると、同一形状の固定具を同一方向に向けて重ね合わせた時、上方の固定具の磁石の下面に傾斜部が接する。
【００２２】
請求項５記載の発明は、被取付体に取り付けられ、被取付体を磁力によって磁性体に固定するための固定具であって、磁石と、磁石を囲うように保持し、平坦部と平坦部の端部に接続される側壁部とからなる断面コの字状のヨークと、ヨークの一部に接続され、被取付体の一部に係合した状態で、ヨークの平坦部の外面上に伸びるように配置される折り返し部を有する折り曲げ片とを備え、平坦部には折り返し部の上面レベルより外方に突出した突起部が形成されるものである。
【００２３】
このように構成すると、同一形状の固定具を同一方向に向けて重ね合わせた時、上方の固定具の磁石の下面に突起部が接する。
【発明の効果】
【００２４】
以上説明したように、請求項１記載の発明は、上方の固定具の磁石の下面に下方の固定具の突起部が接するため、上方の固定具の吸着力が軽減され、固定具同志が分離しやすくなる。
【００２５】
請求項２記載の発明は、請求項１記載の発明の効果に加えて、磁石と突起部との接する部分は線状となるため、これらの接触状態が安定する。
【００２６】
請求項３記載の発明は、請求項１記載の発明の効果に加えて、折り返し部の曲げ強度が向上するため、被取付体への折り曲げ片の係合状態がより安定する。
【００２７】
請求項４記載の発明は、上方の固定具の磁石の下面に下方の固定具の傾斜部が接するため、上方の固定具の吸着力が軽減され、固定具同志が分離しやすくなる。
【００２８】
請求項５記載の発明は、上方の固定具の磁石の下面に下方の固定具の突起部が接するため、上方の固定具の吸着力が軽減されるため固定具同志が分離しやすくなる。又、折り返し部は短くできるため効率的な固定具となる。
【発明を実施するための最良の形態】
【００２９】
図１はこの発明の第１の実施の形態による固定具の概略構造を示した斜視図であって、従来例として示した図７に対応する図である。
【００３０】
図を参照して、固定具１３の構造は基本的な構成は図７で示した固定具７８と同様であるが、折り曲げ片２２の構成が大きく異なっている。以下この相違点を中心に固定具１３の構成について説明する。
【００３１】
固定具１３は、直方体形状の磁石２０と、磁石２０を囲うように保持する断面コの字状のヨーク１５と、ヨーク１５に接続されて被取付体である第２の分割体７２の縁巻７６ｂに係合する折り曲げ片２２とから構成されている。ヨーク１５は具体的には長方形シート状の平坦部１６と、平坦部１６の対向する端縁の各々に接続される第１側壁部１７及び第２側壁部１８とから構成されている。折り曲げ片２２は、具体的にはヨーク１５の第１側壁部１７の下方端部の中央に接続され、平坦部１６の面とほぼ平行に外方側に伸びる延長部２３と、延長部２３の端部から上方に向かって第１側壁部１７の面とほぼ平行に伸びる立上り部２４と、立上り部２４の上端部に接続され平坦部１６の上方側に水平方向に伸びる折り返し部２５とから構成されている。尚、立上り部２４と折り返し部２５との接続部分には開口２６が形成され、折り返し部２５の立上り部２４に対する折り曲げを容易としている。又、折り返し部２５の端部側近傍にはその幅方向にわたって上方に突出する突起部２８が形成されている。
【００３２】
固定具１３の第２の分割体７２に対する取り付け前の状態にあっては、折り返し部２５は立上り部２４に対して折り曲げられておらず、これらは同一面に整列された状態となっている。この状態で折り返し部２５の先端部を第２の分割体７２の縁巻７６ｂの近傍に形成される開口８３に通し、開口２６の部分で折り返し部２５をヨーク１５の平坦部１６の方向に折り曲げる。これによって固定具１３は第２の分割体７２の縁巻７６ｂの周りに回動自在に取り付けられることになる。
【００３３】
図２はこのようにして取り付けられた固定具１３ａ，固定具１３ｂを備えた第２の分割体７２ａ，第２の分割体７２ｂを上下に重ね合わせた状態を示した側面図であって、図１で示したＩＩ−ＩＩラインから見た図に対応した図である。
【００３４】
図を参照して、固定具１３ａの上方に位置する固定具１３ｂは、磁石２０ｂの下面が突起部２８ａの上端に接すると共に、固定具１３ｂの第１側壁部１７ｂの下端が固定具１３ａの折り曲げ片２２ａの折り返し部２５ａの上面に接した状態となっている。このように固定具１３ｂはヨーク１５の吸着力を発揮する第１側壁部１７ｂと第２側壁部１８ｂの一方のみ（図では第１側壁部１７ｂ）が固定具１３ａ側に接することになるため、固定具１３ｂの固定具１３ａに対する吸着力が大きく低減する。このため、第２の分割体７２ｂを第２の分割体７２ａから分離する際、固定具１３ｂの固定具１３ａに対する吸着力が大きな支障となることなくスムーズに分離することが可能となる。
【００３５】
尚、図にあってはヨーク１５の第１側壁部１７ｂが固定具１３ａの折り返し部２５ａに吸着した状態となっているが、固定具１３ｂの第２側壁部１８ｂが固定具１３ａのヨーク１５ａの平坦部１６に吸着した状態となっても同様の効果を奏する。いずれにしても、固定具１３の折り返し部２５に突起部２８が形成されているため、ヨーク１５を構成する第１側壁部１７及び第２側壁部１８が同時に下方の固定具１３の上面に吸着することがないため、その吸着力は大きく低減されるものである。
【００３６】
又、図２に示すように、第１側壁部１７の下端と第２側壁部１８の下端とを含む面と磁石２０の下面との垂直距離Ｓに対して、突起部２８の上端の水平レベルと折り返し部２５の上面の水平レベルとの垂直距離Ｌが大きくなるように設定しておけば、吸着力の低減効果がより確実に発揮されるため、より好ましい構造となる。
【００３７】
図３はこの発明の第２の実施の形態による固定具の概略構造を示した斜視図であり、先の実施の形態による図１に対応した図である。
【００３８】
図を参照して、この実施の形態にあっては、ヨーク１５の平坦部１６の上方に位置する折り曲げ片２２の折り返し部２５に上方に突き出る半球状の突起部３１ａ，突起部３１ｂが形成されている。これによって、同一形状の固定具１３を上方に重ね合わせた時、上方の固定具１３の磁石２０の下面が突起部３１ａ，突起部３１ｂの少なくとも一方の上端に接することになり、上方に位置する固定具の吸着力を同様に低減させることが可能となる。
【００３９】
尚、この実施の形態にあっては、折り返し部２５の中央部に形成されるため、折り返し部２５の曲げ強度が向上するため、第２の分割体７２への折り曲げ片２２の係合状態がより安定する効果も生じることになる。
【００４０】
又、この実施の形態にあっても、突起部３１の突き出し長さを、磁石の下面とヨークの側壁部の下面との垂直距離より大きく設定しておけば、より吸着力の低減効果の高い好ましい構造となる。
【００４１】
図４はこの発明の第３の実施の形態による固定具の概略構造を示した斜視図であり、先の第１の実施の形態による図１に対応した図である。
【００４２】
図を参照して、この実施の形態にあっては、ヨーク１５の平坦部１６の上方に伸びる折り曲げ片２２の折り返し部２５の先端部に、平坦部１６から離れる方向に傾斜するように伸びる傾斜部３２が形成されている点が異なっている。このため上方に同一形状の固定具１３を配置した時、その磁石の下面に傾斜部３２の端部が接することになるため、先の各実施の形態と同様にその吸着力を低減させることが可能となる。尚、傾斜部３２はその先端に行くに従って平坦部１６の上面より離れるように構成されているため、折り返し部２５を立上り部２４に対して前もってこの図のように折り曲げておき、第２の分割体７２の縁巻７６を傾斜部３２と平坦部１６との間から挿入するように取り付けることも可能となる。
【００４３】
尚、この実施の形態にあっても、傾斜部３２の先端水平レベルとヨークの平坦面の上面レベルとの距離を、磁石の下面とヨークの側壁部の下面との垂直距離より大きく設定しておけば、より吸着低減効果の高い好ましい構造となる。
【００４４】
図５はこの発明の第４の実施の形態による固定具の概略構造を示した斜視図であって、先の第１の実施の形態による図１に対応した図である。
【００４５】
図を参照して、この実施の形態にあっては、先の各実施の形態とは異なり折り曲げ片２２の折り返し部２５には何らの突起部も形成されていない。代わりに、折り返し部２５の一部が覆わないヨーク１５の平坦部１６の部分に、上方に突き出た半球状の突起部３４ａ，突起部３４ｂが形成されている。尚、この突起部３４ａ，突起部３４ｂの突き出し高さは、折り曲げ片２２の折り返し部２５の上面より上方に位置するように設定されている。これによって、固定具１３と同一形状の固定具をその上方に設置した時、その磁石２０の下面は突起部３４ａ，突起部３４ｂの上端に接することになり、先の各実施の形態と同様に固定具１３への吸着力が低減することになる。尚、この実施の形態にあっては、折り返し部２５の長さが先の各実施の形態に比べて短く設定することができるため、コスト的にも有利な構造となる。
【００４６】
尚、この実施の形態にあっては、突起部３４の先端の水平レベルと折り返し部の上面レベルとの距離を、磁石の下面とヨークの側壁部の下面との垂直距離より大きく設定しておけば、より吸着低減効果の高い好ましい構造となる。
【００４７】
又、上記の第１から第３の実施の形態では、突起部２８、突起部３１及び傾斜部３２を各々折り返し部２５の特定箇所に形成しているが、これらは、折り返し部の一部であって平面視においてヨーク１５の平坦部１６に重なり合う部分に形成すれば同様の効果を奏する。
【００４８】
更に、上記の各実施の形態では、直方体形状の磁石とこれを囲うヨークよりなる固定具を前提としているが、磁石の形状やヨークは他の形状であっても同様の折り曲げ片を形成するものであれば、同様に適用できることは言うまでもない。
【００４９】
更に、上記の第２および第４の実施の形態では、突起部の形状を半球状とし、その数を各々２つとしているが、突起部の形状は本発明の効果を奏するものであれば、これに限定されることなく、円柱状、直方体状、略円錐状等の公知の形状であってもよく、その数も限定されることなく、１つまたは３つ以上であっても良いのは言うまでもない。
【図面の簡単な説明】
【００５０】
【図１】この発明の第１の実施の形態による固定具の概略構造を示した斜視図である。
【図２】図１に示したＩＩ−ＩＩラインから見た図に対応した図であって、図１で示した固定具を２個上下に重ね合わせた状態を示した図である。
【図３】この発明の第２の実施の形態による固定具の概略構造を示した斜視図である。
【図４】この発明の第３の実施の形態による固定具の概略構造を示した斜視図である。
【図５】この発明の第４の実施の形態による固定具の概略構造を示した斜視図である。
【図６】従来のレンジフード用フィルタカバーの概略構造を示した斜視図である。
【図７】図６で示した“Ｘ”部分の拡大斜視図である。
【図８】図７で示したＶＩＩＩ−ＶＩＩＩラインから見た図に対応した図であって、図７で示した従来の固定具の問題点を説明するための図である。
【符号の説明】
【００５１】
１３…固定具
１５…ヨーク
１６…平坦部
１７…第１側壁部
１８…第２側壁部
２０…磁石
２２…折り曲げ片
２５…折り返し部
２８，３１，３４…突起部
３２…傾斜部
尚、各図中同一符号は同一又は相当部分を示す。
【図１】
2006165210.tif 000003
【図２】
2006165210.tif 000004
【図３】
2006165210.tif 000005
【図４】
2006165210.tif 000006
【図５】
2006165210.tif 000007
【図６】
2006165210.tif 000008
【図７】
2006165210.tif 000009
【図８】
2006165210.tif 000010